(57)【要約】【課題】  砂地に対して滑り難く、競技パフォーマンスの向上を期待できるサンドスポーツ用シューズを提供する。【解決手段】  砂地で行われるスポーツに用いられるシューズ１Ａであって、柔軟なシートから構成されたアウトソール３と、前記アウトソール３の裏面に設けられたグリップ部４と、を有し、前記グリップ部４が、前記アウトソール３の足趾部、踏み付け部及び踵部から選ばれる少なくとも１つの部位に配置されており、前記グリップ部４が、幅方向に延在され且つ下方に突出された凸条壁４１を有する。【選択図】  図３
2020185098.tif 000002
【特許請求の範囲】
【請求項１】
砂地で行われるスポーツに用いられるシューズであって、
柔軟なシートから構成されたアウトソールと、
前記アウトソールの裏面に設けられたグリップ部と、を有し、
前記グリップ部が、前記アウトソールの足趾部、踏み付け部及び踵部から選ばれる少なくとも１つの部位に配置されており、
前記グリップ部が、幅方向に延在され且つ下方に突出された凸条壁を有する、サンドスポーツ用シューズ。
【請求項２】
前記凸条壁が、その内側に凹みを画成するように、平面視で環状に形成されている、請求項１に記載のサンドスポーツ用シューズ。
【請求項３】
前記グリップ部が、前記アウトソールの裏面に固着された台座部を有し、
前記凸条壁が、前記台座部の縁部から下方に突出されている、請求項１または２に記載のサンドスポーツ用シューズ。
【請求項４】
前記グリップ部が、独立して複数設けられており、
隣接するグリップ部の間には、幅方向及び前後方向の少なくともいずれか一方向に延びる隙間が形成されている、請求項１乃至３のいずれか一項に記載のサンドスポーツ用シューズ。
【請求項５】
前記グリップ部が、アウトソールの足趾部及び踏み付け部に少なくとも設けられており、
前記足趾部に設けられたグリップ部と踏み付け部に設けられたグリップ部が独立し、前記両グリップ部の間において、前記アウトソールの裏面が表出されている、請求項１乃至４のいずれか一項に記載のサンドスポーツ用シューズ。
【請求項６】
さらに、前記アウトソールに接続され且つ足を挿入する挿入口を有するアッパーを有し、
前記アッパーが、柔軟なシートを用いて前記アウトソールと一体的に形成されている、請求項１乃至５のいずれか一項に記載のサンドスポーツ用シューズ。
【請求項７】
前記アッパーのうち足の甲に対応する領域に、その幅方向の伸びを規制する伸張規制手段が設けられている、請求項６に記載のサンドスポーツ用シューズ。
【請求項８】
前記挿入口の周長を調整する調整手段が設けられている、請求項６または７に記載のサンドスポーツ用シューズ。
【請求項９】
さらに、前記アウトソールの前方に接続され且つ足指を挿通する指挿通孔部を有する前方装着部を、有し、
前記前方装着部が、柔軟なシートから構成されている、請求項１乃至５のいずれか一項に記載のサンドスポーツ用シューズ。
【請求項１０】
さらに、前記アウトソールの後方に接続され且つ足首を挿通する足首挿通孔部を有する後方装着部を、有し、
前記後方装着部が、柔軟なシートから構成されている、請求項１乃至５及び９のいずれか一項に記載のサンドスポーツ用シューズ。
【請求項１１】
前記柔軟なシートが、繊維シート又は高分子シートを含む、請求項１乃至１０のいずれか一項に記載のサンドスポーツ用シューズ。
【発明の詳細な説明】
【技術分野】
【０００１】
本発明は、砂地で行われるスポーツに適した構造を有するサンドスポーツ用シューズに関する。
【背景技術】
【０００２】
砂地で行われるスポーツとしては、代表的には、ビーチバレーやビーチテニスなどのビーチスポーツが挙げられる。
ビーチバレーなどのビーチスポーツの競技者は、通常、素足で競技を行っている。
【発明の概要】
【０００３】
素足では、足裏が滑り易いため、シューズを履いて競技を行うことが好ましい。
しかしながら、ビーチバレーなどは砂地で行うため、ジョギングシューズなどの既存のシューズを履いて競技を行うと、シューズが砂地にめり込み易く、パフォーマンスの向上を期待できないばかりか、シューズと足裏の間に砂が入り込み、入り込んだ砂が容易に抜け出ないので、履き心地が非常に悪くなり、競技パフォーマンスを低下させる。
従来、砂地で行われるスポーツ（サンドスポーツ）に適したシューズが無く、砂地での競技パフォーマンスを向上できるサンドスポーツ用シューズが求められている。
【発明が解決しようとする課題】
【０００４】
本発明の目的は、砂地に対して滑り難く、競技パフォーマンスの向上を期待できるサンドスポーツ用シューズを提供することである。
【課題を解決するための手段】
【０００５】
本発明のサンドスポーツ用シューズは、砂地で行われるスポーツに用いられるシューズであって、柔軟なシートから構成されたアウトソールと、前記アウトソールの裏面に設けられたグリップ部と、を有し、前記グリップ部が、前記アウトソールの足趾部、踏み付け部及び踵部から選ばれる少なくとも１つの部位に配置されており、前記グリップ部が、幅方向に延在され且つ下方に突出された凸条壁を有する。
【０００６】
本発明の好ましいサンドスポーツ用シューズは、前記凸条壁が、その内側に凹みを画成するように、平面視で環状に形成されている。
本発明の好ましいサンドスポーツ用シューズは、前記グリップ部が、前記アウトソールの裏面に固着された台座部を有し、前記凸条壁が、前記台座部の縁部から下方に突出されている。
本発明の好ましいサンドスポーツ用シューズは、前記グリップ部が、独立して複数設けられており、隣接するグリップ部の間には、幅方向及び前後方向の少なくともいずれか一方向に延びる隙間が形成されている。
本発明の好ましいサンドスポーツ用シューズは、前記グリップ部が、アウトソールの足趾部及び踏み付け部に少なくとも設けられており、前記足趾部に設けられたグリップ部と踏み付け部に設けられたグリップ部が独立し、前記両グリップ部の間において、前記アウトソールの裏面が表出されている。
本発明の好ましいサンドスポーツ用シューズは、さらに、前記アウトソールに接続され且つ足を挿入する挿入口を有するアッパーを有し、前記アッパーが、柔軟なシートを用いて前記アウトソールと一体的に形成されている。
本発明の好ましいサンドスポーツ用シューズは、前記アッパーのうち足の甲に対応する領域に、その幅方向の伸びを規制する伸張規制手段が設けられている。
本発明の好ましいサンドスポーツ用シューズは、前記挿入口の周長を調整する調整手段が設けられている。
【０００７】
本発明の好ましいサンドスポーツ用シューズは、さらに、前記アウトソールの前方に接続され且つ足指を挿通する指挿通孔部を有する前方装着部を、有し、前記前方装着部が、柔軟なシートから構成されている。
本発明の好ましいサンドスポーツ用シューズは、さらに、前記アウトソールの後方に接続され且つ足首を挿通する足首挿通孔部を有する後方装着部を、有し、前記後方装着部が、柔軟なシートから構成されている。
本発明の好ましいサンドスポーツ用シューズは、前記柔軟なシートが、繊維シート又は高分子シートを含む。
【発明の効果】
【０００８】
本発明のサンドスポーツ用シューズを使用することにより、砂地に対して滑り難くなり、使用者の競技パフォーマンスが向上し得る。また、サンドスポーツ用シューズを使用することにより、使用者の足裏を保護できる。
【図面の簡単な説明】
【０００９】
【図１】第１実施形態のサンドスポーツ用シューズの右側面図。
【図２】同サンドスポーツ用シューズの左側面図。
【図３】同サンドスポーツ用シューズの底面図。
【図４】図３のＩＶ−ＩＶ線で切断した断面図。
【図５】図３のＶ−Ｖ線で切断した端面図。端面図は、切断面のみの形状を表し、切断面より奥側の形状を表していない図である。
【図６】同サンドスポーツ用シューズを底面側から見た斜視図。
【図７】アッパーに設けられた伸張規制手段を示す拡大図。
【図８】（ａ）は、同サンドスポーツ用シューズの締付け部を取り外した状態を上後方から見た斜視図、（ｂ）は、同サンドスポーツ用シューズの締付け部を取り付けた状態を上後方から見た斜視図。
【図９】第１実施形態の第１変形例のサンドスポーツ用シューズの底面図。
【図１０】第１実施形態の第２変形例のサンドスポーツ用シューズの底面図。
【図１１】第１実施形態の第３変形例のサンドスポーツ用シューズの右側面図。
【図１２】同第３変形例のサンドスポーツ用シューズの左側面図。
【図１３】第１実施形態の第４変形例のサンドスポーツ用シューズの斜視図。
【図１４】第２実施形態のサンドスポーツ用シューズの底面図。
【図１５】同サンドスポーツ用シューズの表面図（底面図とは反対側から見た図）。
【図１６】図１４のＸＶＩ−ＸＶＩ線で切断した端面図。
【図１７】図１４のＸＶＩＩ−ＸＶＩＩ線で切断した拡大端面図。
【図１８】同サンドスポーツ用シューズを足に装着する手順を示す斜視図。
【図１９】同サンドスポーツ用シューズを足に装着する手順を示す斜視図。
【図２０】足に装着したサンドスポーツ用シューズを底面側から見た斜視図。
【発明を実施するための形態】
【００１０】
本明細書において、平面視は、底面（アウトソール）に対して垂線方向からサンドスポーツ用シューズを見ることをいい、平面視形状は、平面視における形状をいう。「前」は、平面視でサンドスポーツ用シューズのつま先側を指し、「後」は、踵側を指し、「前後方向」は、平面視でつま先から踵を結ぶ方向を意味し、「幅方向」は、平面視で前後方向と直交する方向を意味する。また、「アウトソールの裏面」は接地面を指し、「アウトソールの表面」は接足面を指す。「略」は、本発明の属する技術分野において許容される範囲を含むことを意味する。
「下限値ＡＡＡ〜上限値ＢＢＢ」で表される数値範囲は、下限値ＡＡＡ以上上限値ＢＢＢ以下を意味する。前記数値範囲が別個に複数記載されている場合、任意の下限値と任意の上限値を選択し、「任意の下限値〜任意の上限値」を設定できるものとする。
【００１１】
［サンドスポーツ用シューズの概要］
本発明のサンドスポーツ用シューズは、柔軟なシートから構成されたアウトソールと、アウトソールの裏面に設けられたグリップ部と、を有し、グリップ部が、アウトソールの足趾部、踏み付け部及び踵部から選ばれる少なくとも１つの部位に配置されている。このグリップ部は、幅方向に延在された凸条壁であって下方に突出された凸条壁を有する。
なお、アウトソールの足趾部、ＭＰ関節部、踏み付け部、土踏まず部及び踵部は、それぞれ、足裏の足趾、ＭＰ関節、踏み付け部、土踏まず及び踵に対応する部分である。また、アウトソールの第１乃至第５指部は、足の第１乃至第５指に対応する部分である。
【００１２】
本発明のサンドスポーツ用シューズは、代表的には、ビーチバレー、ビーチテニスボール、ビーチハンドボール、ビーチサッカー、ビーチレスリングなどのビーチ（砂浜）で行うスポーツ、特に、砂地上を走る又は跳ねるなどするスポーツを行う際に使用される。本発明のサンドスポーツ用シューズは、砂地に足裏を接触させ且つ砂地に対して脚力を加えるスポーツに使用されるが、使用者の好みにより、例えば、ビーチや砂場の歩行用シューズ、日常生活を営む上でのシューズとして使用してもよい。
【００１３】
サンドスポーツ用シューズは、左足用及び右足用の左右一組で構成される。以下、図面を参照しつつ、サンドスポーツ用シューズの具体的な実施形態を説明するが、各図においては、便宜上、左足用のサンドスポーツ用シューズを例示している。右足用のサンドスポーツ用シューズは、左足用と対称的であるため図示しない。
【００１４】
［第１実施形態］
第１実施形態は、アッパーを有するサンドスポーツ用シューズに関する。
図１乃至図６を参照して、第１実施形態のサンドスポーツ用シューズ１Ａは、アッパー２と、アウトソール３と、グリップ部４と、を有する。
アッパー２及びアウトソール３は、シューズ本体を構成し、グリップ部４は、アウトソール３の裏面に設けられた、砂地を捉える部分となる。
【００１５】
＜アッパー及びアウトソール＞
アッパー２及びアウトソール３は、柔軟なシートから構成されている。前記柔軟なシートは、人力で容易に折り曲げることができる程に柔軟であり、例えば、標準的な人の力で少なくとも直径１０ｃｍの円柱芯材に沿わせて巻き付けることができる程度に柔軟である。
【００１６】
前記柔軟なシートは、柔軟性を有することを条件として、さらに、伸縮性を有していてもよく、或いは、伸縮性を有していなくてもよい。
伸縮性を有するシートの伸び率は、特に限定されないが、適度な伸縮性と機械的強度を有することから、シートの弾性変形領域における縦方向の伸び率及び横方向の伸び率は、それぞれ独立して、例えば、１２０％以上であり、好ましくは１３０％以上であり、より好ましくは１５０％以上である。シートの弾性変形領域における縦方向の伸び率及び横方向の伸び率の上限は、特にないが、例えば、１８０％以下である。
【００１７】
また、前記柔軟なシートは、通気性を有していてもよく、或いは、通気性を有していなくてもよい。通気性を有する柔軟なシートの通気度は、特に限定されないが、蒸れ防止の観点から、１０ｃｃ／ｃｍ２・ｓｅｃ〜１２０ｃｃ／ｃｍ２・ｓｅｃが好ましく、さらに、蒸れ防止及び砂が入り込むことをできるだけ防止する観点から、２０ｃｃ／ｃｍ２・ｓｅｃ〜５０ｃｃ／ｃｍ２・ｓｅｃがより好ましい。
ただし、前記通気度は、ＪＩＳ  Ｌ  １０９６：２０１０の通気性試験方法に準じて、フラジール型通気性試験機を用いて測定される値である。なお、ＪＩＳ  Ｌ  １０９６：２０１０は、織物及び編物生地の試験方法を規定するが、織布及び編布以外のシート（高分子シートや複合シートなど）についても、ＪＩＳ  Ｌ  １０９６：２０１０に準じて通気度を測定するものとする。
なお、上述のような通気度を有する柔軟なシートは、微細な砂が通過する可能性を否定できないが、通気性を有しつつ微細な砂の通過を防止する特殊な加工を施したシートを用いてもよい。
【００１８】
前記柔軟なシートとしては、例えば、繊維シート、高分子シート、これらの複合シートなどが挙げられる。前記複合シートとしては、前記繊維シートと高分子シートの積層物などが挙げられる。
前記繊維シートとしては、織布（繊維糸を織った布）、編布（繊維糸を編んだ布）、不織布（繊維糸を含む不織布）などが挙げられる。これらの繊維シートは、通常、柔軟性及び通気性を有する。前記繊維糸は、特に限定されず、ポリエステル、ポリオレフィン、ポリウレタンなどの合成樹脂繊維；エラストマーやゴムなどの弾性繊維；綿などの天然繊維；合成樹脂繊維と天然繊維の複合繊維；などからなる糸が挙げられる。これらの材料は、１種単独で、又は２種以上を併用できる。なお、糸は、複数の繊維の撚り糸でもよく、単一糸（者フィラメント）でもよい。なお、不織布を構成する繊維糸は、長繊維でもよく、或いは、短繊維でもよい。
なお、繊維シートのうち、弾性の糸（ゴム糸など）を用いた織布又は編布、及び、伸縮性の編み組織からなる編布は、柔軟性、通気性及び伸縮性を有する。
【００１９】
前記高分子シートとしては、合成樹脂、エラストマー、ゴムなどからなるシート材が挙げられる。合成樹脂としては、ポリエチレンテレフタレートなどのポリエステル系樹脂；ポリエチレン（ＰＥ）、エチレン・酢酸ビニル共重合樹脂（ＥＶＡ樹脂）等のオレフィン系樹脂；ポリウレタン等のウレタン系樹脂；ポリスチレン（ＰＳ）、アクリロニトリルスチレン共重合樹脂（ＡＳ樹脂）、アクリロニトリルブタジエンスチレン共重合樹脂（ＡＢＳ樹脂）等のスチレン系樹脂；ポリ塩化ビニル（ＰＶＣ）などが挙げられる。エラストマーとしては、比較的軟質の熱可塑性エラストマーを用いることができ、例えば、エチレン−酢酸ビニル共重合体系エラストマー；スチレンエチレンブチレンスチレンブロック共重合体(ＳＥＢＳ)などのスチレン系エラストマー；オレフィン系エラストマー；ウレタン系エラストマー；エステル系エラストマー；フッ素系エラストマー；シリコーン系エラストマー；などが挙げられる。ゴムとしては、例えば、天然ゴム（ＮＲ）、イソプレンゴム（ＩＲ）、ブタジエンゴム（ＢＲ）、クロロプレンゴム（ＣＲ）などのジエン系ゴム；スチレンブタジエン共重合体ゴム（ＳＢＲ）、アクリロニトリルブタジエンゴム（ＮＢＲ）などのジエン系共重合体ゴム；エチレンプロピレンジエン系ゴム（ＥＰＤＭ）、ブチルゴム（ＩＩＲ）、ウレタン系ゴムなどの非ジエン系ゴム；などが挙げられる。これらの材料は、１種単独で、又は２種以上を併用できる。
高分子シートは、発泡体でもよく、或いは、非発泡体でもよい。発泡された高分子シートの発泡倍率は、特に限定されないが、例えば、１．０５倍〜１．５倍程度を例示できる。
少なくともエラストマーやゴムのような弾性材料を含む高分子シートは、柔軟性及び伸縮性を有する。
【００２０】
前記高分子シートの厚みは、特に限定されないが、適度な柔軟性と機械的強度を有することから、０．５ｍｍ〜３．５ｍｍが好ましく、１．５ｍｍ〜２．５ｍｍがより好ましい。
また、高分子シートの硬さは、特に限定されないが、余りに硬過ぎる及び軟らか過ぎると履き心地が悪くなるおそれがあることから、これらを考慮して適切な硬さのものが用いられる。
【００２１】
アウトソール３及びアッパー２は、同種の柔軟なシートから構成されていてもよく、或いは、それぞれ異種の柔軟なシートから構成されていてもよい。また、アウトソール３及びアッパー２は、それぞれ独立して、１種の柔軟なシートから構成されていてもよく、或いは、２種以上の柔軟なシートから構成されていてもよい。
【００２２】
具体的には、アウトソール３は、グリップ部４が形成されている部分を除き、地面に接する。アウトソール３は、平面視で足裏の形状に形成されている。使用者がシューズ１Ａを履いた際には、足裏がアウトソール３の上面に接する。
アウトソール３は、繊維シート、高分子シート、複合シートなどの柔軟なシートを用いて形成されるが、素足に近い感覚で足裏にて砂地を捉えることができることから、アウトソール３は、上記繊維シートから形成されていることが好ましく、さらに、足裏の蒸れを防止できることから、上記通気性を有する柔軟な織布又は編布から形成されていることがより好ましい。なお、アウトソール３は、伸縮性を有する柔軟なシートから形成されていてもよいが、後述するアッパー下部２１とアウトソール３が協働して、足裏及び足の甲などに比較的強く密着することから、アウトソール３は、伸縮性を有さない柔軟なシート（非伸縮性の柔軟なシート）から形成されていることが好ましい。
【００２３】
アッパー２は、足指に対応する領域（つま先領域）、足の甲に対応する領域（甲領域）及び足の踵周りに対応する領域（踵領域）を有するアッパー下部２１と、足を挿入する挿入口２２１を有するアッパー上部２２と、を有する。
前記つま先領域は、アッパー下部２１の一部分であって足のつま先を覆う部分であり、甲領域は、アッパー下部２１の一部分であって足の甲を覆う部分であり、前記踵領域は、アッパー下部２１の一部分であって足の踵周りを覆う部分である。前記つま先領域、甲領域及び踵領域を有するアッパー下部２１は、足のつま先から踵までを一連に覆う。アッパー下部２１の下縁は、アウトソール３の周縁に接続されている。使用者がシューズ１Ａを履いた際には、足のつま先から踵がアッパー下部２１に接する。
【００２４】
アッパー下部２１は、繊維シート、高分子シート、複合シートなどの柔軟なシートを用いて形成されるが、引張剛性が高く且つ柔軟性に優れたものが適していることから、アッパー下部２１は、上記繊維シートから形成されていることが好ましく、さらに、足の甲などの蒸れを防止できることから、上記通気性を有する柔軟な織布又は編布から形成されていることがより好ましい。なお、アッパー下部２１は、伸縮性を有する柔軟なシートから形成されていてもよいが、上述の理由から、アッパー下部２１は、アウトソール３と同様に、伸縮性を有さない柔軟なシートから形成されていることが好ましい。この場合、アウトソール３とアッパー下部２１は、同一の柔軟なシートから一体的に形成されていてもよく、或いは、同種の柔軟なシートから形成されていてもよい。
図示例では、アウトソール３及びアッパー下部２１は、同一の柔軟なシート、例えば、ポリエステル繊維糸の織布（通気性を有し且つ伸縮性を有さない柔軟な織布であって、ポリエステル繊維糸を織った織布）から一体的に形成されている。
【００２５】
また、必要に応じて、アッパー下部２１には、アッパー下部２１が幅方向に伸びることを規制する伸張規制手段２３が設けられる（図１、図２及び図８参照。ただし、図４及び図５では、伸張規制手段を不図示）。上述のように、アッパー下部２１が非伸縮性の柔軟なシートから形成されている場合であっても、そのシートは柔軟であるため、使用者が競技中、アッパー下部２１が断続的に伸び得る。アッパー下部２１が伸びると、足がずれてシューズ１Ａの一体感が低下するが、前記伸張規制手段２３が設けられていると、アッパー下部２１の伸びを抑制できるので、アッパー下部２１が足の甲に強く密着し、シューズ１Ａの一体感が向上する。
【００２６】
伸張規制手段２３は、アッパー下部２１の全体に設けられていてもよく、或いは、アッパー下部２１の一部の領域に設けられていてもよい。
好ましくは、伸張規制手段２３は、アッパー下部２１の少なくとも足の甲に対応する領域（甲領域）に設けられ、より好ましくは、アッパー下部２１の足指に対応する領域（つま先領域）及び足の甲に対応する領域（甲領域）に設けられる。
伸張規制手段２３は、アッパー下部２１の幅方向に延在して設けられる。例えば、つま先領域に設けられた伸張規制手段２３は、つま先に沿って弧を描くように設けられている。甲領域に設けられた伸張規制手段２３は、足の甲に跨がるように幅方向に延在する帯状に設けられている。図１、図２及び図８において、伸張規制手段２３が設けられた部分に、無数のドットを付加している。
幅方向に延在する伸張規制手段２３は、グリップ部４まで設けられていてもよく、或いは、グリップ部４の近傍まで設けられていてもよい（グリップ部４の近傍まで設けられる場合、伸張規制手段２３の端とグリップ部４の間には、間隙を有する）。アッパー下部２１の幅方向の伸びを効果的に規制できることから、伸張規制手段２３の端はグリップ部４まで設けられていることが好ましい。
【００２７】
伸張規制手段２３としては、例えば、アッパー下部２１に合成樹脂膜を付着させること、或いは、アッパー下部２１にストライプ状に合成樹脂を付着させること、或いは、アッパー下部２１に点線状に合成樹脂を付着させることなどが挙げられる。前記手段は、１種単独で又は２種以上を併用できる。
アッパー下部２１の通気性を阻害することなくアッパー下部２１の伸びを規制できることから、伸張規制手段２３は、アッパー下部２１（つま先領域や甲領域）にストライプ状に付着された合成樹脂、或いは、アッパー下部２１（つま先領域や甲領域）に点線状に付着された合成樹脂であることが好ましい。
【００２８】
図７は、サンドスポーツ用シューズの右側面図の一部分を拡大した拡大図であって、前記甲領域に設けられた伸張規制手段２３の詳細図である。
図７を参照して、甲領域に設けられた伸張規制手段２３は、合成樹脂をストライプ状に付着させた第１樹脂部２３１と、合成樹脂を点線状に付着させた第２樹脂部２３２と、から構成されている。
【００２９】
第１樹脂部２３１は、幅方向に延在する複数の細い帯状の合成樹脂からなり、その細い帯状の合成樹脂が前後方向に間隔を開けて複数列並設されている（つまり、第１樹脂部２３１はストライプ状の合成樹脂からなる）。第２樹脂部２３２は、幅方向に延在する複数の点状の合成樹脂の集合からなり、それが前後方向に間隔を開けて複数列並設されている（つまり、第２樹脂部２３２は、幅方向に並んだ複数の点状の合成樹脂が、前後方向に間隔を開けて複数列並設されている）。第１樹脂部２３１及び第２樹脂部２３２の配置は、特に限定されないが、幅方向に力をかけた際の安定性確保（足のブレ防止）及びグリップ力の確保の点から、ストライプ状の第１樹脂部２３１が、甲領域の幅方向両側に配置され、且つ、点線状の第２樹脂部２３２が、甲領域の幅方向中央部に配置されていることが好ましい。また、点線状の第２樹脂部２３２について、１つの点部分は、平面視で略円形状でもよいが、図示例のように、幅方向を長軸とする略長円状であることが好ましい。ただし、この好ましい例において、第２樹脂部２３２は、多くの点部分が前記略長円状であればよく、一部に略円形状の点部分を含んでいてもよい。
図示例では、第１樹脂部２３１の下端は、グリップ部４（後述する台座部４３の上端）に接続されている。従って、伸張規制手段２３は、グリップ部４まで設けられている。
【００３０】
前記つま先領域に設けられた伸張規制手段２３も、合成樹脂をストライプ状に付着させた第１樹脂部２３１と、合成樹脂を点線状に付着させた第２樹脂部２３２と、から構成されていることが好ましい。つま先領域においても、第１樹脂部２３１及び第２樹脂部２３２の配置は、特に限定されないが、シューズ内での足のずれ防止の点から、ストライプ状の第１樹脂部２３１が、つま先の幅方向両側に配置され、且つ、点線状の第２樹脂部２３２が、つま先領域の幅方向中央部に配置されていることが好ましい。なお、図示例では、つま先領域においても第１樹脂部２３１の下端が、グリップ部４（後述する台座部４３の上端）に接続されている。
【００３１】
なお、甲領域の伸張規制手段２３及び／又はつま先領域の伸張規制手段２３の前記点線状の第２樹脂部２３２は、点状の合成樹脂が間隔を開けて並設されたものからなるが（つまり、断続的に並んだ点状の合成樹脂の集合からなるが）、点状の合成樹脂の間隔を適宜設定することにより、幅方向の伸びの規制力を調整できる。例えば、前記間隔を小さくすることにより、伸張規制手段２３の伸び規制力が強まり、アッパー下部２１の幅方向の伸び規制を強化できる。前記間隔を小さくする場合としては、例えば、隣接する点状の合成樹脂の間隔を可及的に小さくする場合、或いは、隣接する点状の合成樹脂同士を接触させることにより、第１樹脂部２３１と同様な細い帯状の合成樹脂とする場合などが挙げられる。また、第１樹脂部２３１及び／又は第２樹脂部２３２の幅を適宜設定しても、幅方向の伸びの規制力を調整できる。例えば、第１樹脂部２３１及び／又は第２樹脂部２３２の幅を大きくすることにより、伸張規制手段２３の伸び規制力が強まるようになる。
【００３２】
図１、図２及び図８を参照して、アッパー上部２２は、主として足首を覆う部分であり、その上方には、挿入口２２１が形成されている。前記挿入口２２１は、アッパー上部２２に形成された開口部分である。つまり、前記挿入口２２１は、アッパー上部２２の上縁によって画成された開口部分である。アッパー上部２２の下縁は、アッパー下部２１の上縁に接続されている。
アッパー上部２２も、繊維シート、高分子シート、複合シートなどの柔軟なシートを用いて形成される。
アッパー上部２２は、アッパー下部２１と同一の柔軟シートからなり且つアッパー下部２１と一体的に形成されていてもよく、或いは、アッパー下部２１と同種の柔軟なシートから形成されていてもよく、或いは、アッパー下部２１とは異種の柔軟なシートから形成されていてもよい。
足首に密着してシューズ１Ａの一体感が向上すること及び引き延ばしてシューズ１Ａを履き易くなることから、アッパー上部２２は、伸縮性を有する柔軟なシートから形成されていることが好ましく、さらに、蒸れ防止の観点から、伸縮性及び通気性を有する柔軟なシートから形成されていることがより好ましい。
【００３３】
図示例では、アッパー上部２２は、伸縮性及び通気性を有する繊維シートから形成されている。従って、図示例では、アッパー下部２１は通気性を有し且つ伸縮性を有さない柔軟なシートから形成され且つアッパー上部２２は、伸縮性及び通気性を有する柔軟なシートから形成されており、アッパー下部２１の上縁とアッパー上部２２の下縁が、継ぎ合わされている。図１、図２及び図４の符号２９は、アッパー下部２１とアッパー上部２２の継ぎ合わせ部分を示す。
なお、図１、図２及び図４などを参照して、アッパー上部２２の前方部は、アッパー下部２１の甲領域の付近まで設けられている。
【００３４】
上述のように、アッパー下部２１は、足のブレを防止してシューズ１Ａの一体感を向上させるために伸縮性を有さないシートを用い、且つ、アッパー上部２２は、シューズ１Ａを履き易くするために伸縮性を有するシートを用いているが、アッパー下部２１についても伸縮性を有するシートを用いてもよい。この場合のアッパー下部２１を構成するシートは、アッパー上部２２を構成するシートよりも伸縮性が小さいものが好ましい。例えば、アッパー下部２１を構成するシートの弾性変形領域における縦方向の伸び率及び横方向の伸び率は、それぞれ独立して、例えば、１２０％以上であり、好ましくは１３０％以上であり、より好ましくは１５０％以上である。前記シートの弾性変形領域における縦方向の伸び率及び横方向の伸び率の上限は、特にないが、例えば、１８０％以下である。
【００３５】
前記アッパー上部２２には、必要に応じて、前記挿入口２２１の周長を調整する調整手段２４が設けられる。
前記調整手段２４としては、特に限定されない。例えば、調整手段２４は、足を容易に挿入脱するために周長を変えることができるように形成された挿入口２２１と、その挿入口２２１の周長を小さくするためにアッパー上部２２に設けられた締付け部２４１と、から構成されている。前記締付け部２４１としては、バンド、靴紐などが挙げられる。
図示例では、アッパー上部２２の上縁が足首の周長と同程度の周長に形成されており、アッパー上部２２の上方領域は、その上縁から上下方向に切り込まれた切込み２４２によって左右の領域に２分されている。この切込み２４２に跨がって、前記左の領域と右の領域に締付け部２４１が架け渡されている。締付け部２４１は、例えば、バンド（帯状の柔軟なシートなど）からなり、前記左の領域と右の領域が離反しないように架け渡されている。例えば、締付け部２４１の一方端部が左の領域（又は右の領域）に固着され、前記締付け部２４１の反対端部が右の領域（又は左の領域）に着脱可能に取り付けられている。前記締付け部２４１の反対端部を右の領域（又は左の領域）に着脱可能とする手段としては、例えば、面ファスナーなどが用いられる。図示例では、締付け部２４１の反対端部に面ファスナーのループ面２４３（又はフック面）が設けられ且つ右の領域に面ファスナーのフック面２４４（又はループ面）が設けられている。
【００３６】
図８（ａ）に示すように、前記締付け部２４１を取り外して左右の領域を離反させることにより、アッパー上部２２の挿入口２２１の周長が、上縁に繋がった切込み２４２によって拡張される。このため、前記挿入口２２１を通じて、アウトソール３とアッパー下部２１の間に足を容易に挿入できる。他方、図８（ｂ）に示すように、締付け部２４１の反対端部を右の領域に取り付けることにより、切込み２４２が略閉じられて左右の領域が近接し、挿入口２２１の周長を小さくできる。締付け部２４１によって強く締め付けることにより、上縁を含むアッパー上部２２が足首に密着し、シューズ１Ａの一体感が向上すると共に、挿入口２２１から砂がシューズ１Ａ内に入り込むことを抑制できる。
【００３７】
アウトソール３、アッパー上部２２及びアッパー下部２１は、それぞれ独立して、柔軟なシートを所定形状に形成した１つ又は複数のパーツからなり、そのパーツを立体的に継ぎ合わせることによって、図１乃至図６に示すような中空状のシューズ本体が形成される。なお、図５の符号２６は、パーツの継ぎ合わせ部分を示す。
各パーツの継ぎ合わせ方法は、特に限定されず、シートの材質に応じて適宜選択でき、例えば、縫製、接着剤による接着、溶着、テープ貼りなどが挙げられる。継ぎ合わせ部分が外れ難くなることから、縫製によって各パーツを継ぎ合わせることが好ましい。
上述のように、アウトソール３及びアッパー下部２１が同一の柔軟なシートから形成されている場合、１枚のシートを用いて、アウトソール３の一部分とアッパー下部２１の一部分を構成するパーツを複数形成し、それらのパーツを立体的に継ぎ合わせてアウトソール３及びアッパー下部２１を形成してもよい。
図１などにおいて、符号２５は、継ぎ合わせ部分を隠すための化粧テープを示す（ただし、図４では、化粧テープを不図示）。
【００３８】
＜グリップ部＞
グリップ部４は、アウトソール３の裏面のうち、足趾部、踏み付け部及び踵部から選ばれる少なくとも１つの部位に配置されている。
グリップ部４は、図３及び図６に示すように、平面視で幅方向に延在され且つ下方に突出された凸条壁４１を有する。本明細書において、平面視で幅方向に延在する凸条壁４１は、概ね幅方向に延びているという意味であり、幅方向と平行に延びる場合、幅方向に対して傾斜状に延びる場合などが含まれる。グリップ部４が平面視で幅方向に延在する凸条壁４１を有することにより、砂地に対するグリップ力が向上し、競技中に滑り難くなる。
前記凸条壁４１は、平面視で幅方向に延在する部分を有していることを条件として、前後方向に延在する部分を有していてもよい。なお、本明細書において、前後方向に延在する凸条壁４１は、概ね幅方向に延びているという意味であり、前後方向と平行に延びる場合、前後方向に対して傾斜状に延びる場合などが含まれる。
【００３９】
また、平面視で幅方向に延在する凸条壁４１は、平面視で略直線状であってもよく、或いは、平面視で略曲線状であってもよく、或いは、平面視で略屈曲状であってもよい。
前記凸条壁４１は、平面視で非環状であってもよく、或いは、その内側に凹み４２を画成するように平面視で環状に形成されていてもよい。なお、凹み４２は、凸条壁４１を基準として凹んでいる部分という意味であり、凹み４２と凸条壁４１は、凹凸関係の相対的な概念である。
前記非環状の凸条壁４１は、幅方向に延在する部分のみからなる場合でもよく、幅方向延在する部分と前後方向に延在する部分が連続して構成されていてもよい。
好ましくは、前記凸条壁４１は、平面視で環状に形成される。平面視で環状の凸条壁４１は、幅方向に延在する部分と前後方向に延在する部分が連続して構成される。平面視で環状の凸条壁４１によれば、図３乃至図５に示すように、その内側に凸条壁４１で囲われた凹み４２を形成でき、凸条壁４１が砂地に食い込んだ際に、前記凹み４２内に砂が入り込み、グリップ力が向上する。
【００４０】
凸条壁４１は、図４に示す断面視で、その内側面及び外側面の少なくとも一方側面が傾斜状に形成されていることが好ましく、さらに、両側面が傾斜状に形成されていることがより好ましい。少なくとも一方の側面が傾斜状に形成され且つ凸条壁４１の基部から突出端に向かうに従って次第に幅狭となった凸条壁４１は、砂地に食い込み易くなる。
【００４１】
前記凸条壁４１は、アウトソール３の裏面に直接固着され且つ下方に突出されていてもよく、或いは、アウトソール３の裏面に固着された台座部４３から下方に突出されていてもよい。
好ましくは、グリップ部４は、アウトソール３の裏面に固着された台座部４３と、前記台座部４３の縁部から下方に突出された前記凸条壁４１と、を有する。台座部４３は、アウトソール３の裏面に設けられた所定厚みの略板状の部分からなる。
柔軟なシートからなるアウトソール３に直接的に凸条壁４１が固着されている場合には、柔軟なアウトソール３が変形することによって凸条壁４１が傾く又は倒れるおそれがあるが、凸条壁４１とアウトソール３の間に台座部４３を有することにより、凸条壁４１が傾くことなどを防止できる。
前記凸条壁４１の突出高さは、特に限定されないが、余りに小さいと十分なグリップ力を発揮できないおそれがあり、余りに大きいと、凸条壁４１が砂地に長く食い込み過ぎるおそれがある。かかる観点から、凸条壁４１の突出高さは、例えば、１ｍｍ〜７ｍｍであり、好ましくは、２ｍｍ〜６ｍｍである。
なお、凸条壁４１の突出高さは、凸条壁４１がアウトソール３の裏面に直接固着されている場合には、アウトソール３の裏面から凸条壁４１の突出端までの長さであり、凸条壁４１が台座部４３から突出されている場合には、台座部４３の裏面（凹み４２の裏面）から凸条壁４１の突出端までの長さである。
【００４２】
グリップ部４（凸条壁４１及び台座部４３）は、比較的硬い材料から形成されている。例えば、グリップ部４（凸条壁４１及び台座部４３）は、合成樹脂の非発泡体、硬質ゴム又はエラストマーの非発泡体、合成樹脂の発泡体、硬質ゴム又はエラストマーの発泡体などから形成される。
前記グリップ部４を構成する合成樹脂としては、特に限定されず、上記高分子シートで例示したような合成樹脂のほか、ポリアミド、ポリカーボネート、ポリイミド、アイオノマー樹脂などの硬質樹脂などを用いてもよい。前記グリップ部４を構成する硬質ゴムとしては、例えば、天然ゴム（ＮＲ）、イソプレンゴム（ＩＲ）、ブタジエンゴム（ＢＲ）などのジエン系ゴム；スチレンブタジエン共重合体ゴム（ＳＢＲ）、アクリロニトリルブタジエンゴム（ＮＢＲ）などのジエン系共重合体ゴム；エチレンプロピレンジエン系ゴム（ＥＰＤＭ）、ブチルゴム（ＩＩＲ）、ウレタン系ゴムなどの非ジエン系ゴム；などが挙げられる。エラストマーとしては、エチレン−酢酸ビニル共重合体系エラストマー；スチレンエチレンブチレンスチレンブロック共重合体(ＳＥＢＳ)などのスチレン系エラストマー；オレフィン系エラストマー；ウレタン系エラストマー；エステル系エラストマー；フッ素系エラストマー；シリコーン系エラストマー；などが挙げられる。これらの材料は、１種単独で、又は２種以上を併用できる。
【００４３】
グリップ部４（凸条壁４１及び台座部４３）の硬さは、特に限定されないが、余りに硬いと使用感が低下するおそれがあり、余りに軟らかいと、砂地に対するグリップ力が低下するおそれがある。かかる観点から、グリップ部４（凸条壁４１及び台座部４３）の硬さは、グリップ部４がエラストマー及び／又はゴムの発泡体の場合には、アスカーＣ硬度で３０〜７０（好ましくは４５〜６０）であり、グリップ部４がエラストマー及び／又はゴムの非発泡体の場合には、アスカーＡ硬度で５０〜８０（好ましくは６０〜７０）である。
ただし、アスカーＣ硬度は、ＪＩＳ  Ｋ  ７３１２：１９９６に準拠したアスカーゴム硬度計Ｃ１Ｌ型を用いて２３℃で測定され、アスカーＡ硬度は、ＪＩＳ  Ｋ  ６２５３−３：２０１２に準拠したアスカーゴム硬度計ＡＬ型を用いて２３℃で測定される。
【００４４】
凸条壁４１を有するグリップ部４は、１箇所のみに設けられていてもよいが、好ましくは、複数独立して設けられる。
グリップ部４が複数設けられる場合、隣接するグリップ部４の間には、幅方向又は前後方向に延びる隙間５が形成される。なお、前記幅方向に延びる隙間５は、概ね幅方向に延びているという意味であり、幅方向と平行に延びる場合、幅方向に対して傾斜状に延びる場合などが含まれる。前記前後方向に延びる隙間５は、概ね前後方向に延びているという意味であり、前後方向と平行に延びる場合、前後方向に対して傾斜状に延びる場合などが含まれる。
【００４５】
＜複数のグリップ部について＞
具体的には、グリップ部４は、アウトソール３の足趾部及び踏み付け部に少なくとも配置されていることが好ましく、又は、アウトソール３の足趾部及び踵部に少なくとも配置されていることが好ましく、さらに、アウトソール３の足趾部、踏み付け部及び踵部に配置されていることがより好ましい。脚力は、通常、アウトソール３の足趾部、踏み付け部及び踵部において砂地に加えられるため、これらの部位にグリップ部４が設けられていることにより、砂地に対するグリップ力が向上して滑り難くなり、競技パフォーマンスの向上を期待できる。他方、アウトソール３の土踏まず部の周辺（アウトソール３の前後方向中央部位）には、グリップ部４が設けられていないことが好ましい。土踏まず部にグリップ部４を有さず且つアウトソール３の裏面が表出（露出）されていることにより、素足に近い感覚で足裏にて砂地を捉えて競技することができる。
【００４６】
足趾部に配置されたグリップ部４、踏み付け部に配置されたグリップ部４及び踵部に配置されたグリップ部４は、上記＜グリップ部＞の欄で説明した構成を適宜選択して採用できる。
以下、本実施形態において、各部に配置されたグリップ部４を用語上区別する必要がある場合、足趾部に配置されたグリップ部４及びその構成要素の用語の頭に「足趾」を付し且つ符号の末尾に「ａ」を付し、踏み付け部に配置されたグリップ部４及びその構成要素の用語の頭に「踏み」を付し且つ符号の末尾に「ｂ」を付し、踵部に配置されたグリップ部４及びその構成要素の用語の頭に「踵」を付し且つ符号の末尾に「ｃ」を付す。
【００４７】
足趾グリップ部４ａ、踏みグリップ部４ｂ及び踵グリップ部４ｃは、それぞれ独立して設けられている。足趾グリップ部４ａ、踏みグリップ部４ｂ及び踵グリップ部４ｃの間において、アウトソール３の裏面が表出されている。なお、足趾グリップ部４ａと踏みグリップ部４ｂの間には、幅方向に延びる隙間５が形成されており、この隙間５において前記アウトソール３の裏面が表出されている。
足趾グリップ部４ａと踏みグリップ部４ｂの間の隙間５は、アウトソール３のＭＰ関節部に位置していることが好ましい。前記アウトソール３の裏面が表出されている隙間５が、アウトソール３のＭＰ関節部に配置されていることにより、足裏で砂地を掴むような使用感が得られ、競技パフォーマンスの向上を期待できる。
【００４８】
足趾グリップ部４ａは、アウトソール３の足趾部に設けられた足趾台座部４３ａと、その足趾台座部４３ａの縁部から突設された足趾凸条壁４１ａと、を有する。足趾台座部４３ａは、図３に示すように、平面視でつま先に沿って弧を描くように設けられている。足趾凸条壁４１ａは、足趾台座部４３ａの周縁部から突出されており、従って、足趾凸条壁４１ａは、平面視で環状である。前記環状の足趾凸条壁４１ａによって囲われた範囲には、足趾台座部４３ａの裏面が表出されており、足趾凸条壁４１ａと足趾台座部４３ａの裏面によって足趾凹み４２ａが形成されている。前記足趾凹み４２ａを構成する足趾台座部４３ａの裏面は、平滑面とされていてもよく、或いは、微細なエンボス凹凸面とされていてもよい。前記微細なエンボス凹凸面は、微細な筋状の凸部と凹部が交互に形成されたストライプ状エンボスでもよく、梨地模様のように無秩序な微細な凸部が無秩序に配置されているランダムエンボスでもよく、所定形状の点状の凸部が規則的に配置されているエンボスでもよい。
【００４９】
足趾台座部４３ａは、アウトソール３の裏面のみに固着されていてもよいが、足趾台座部４３ａが脱落しないようにするため、図１乃至図４に示すように、足趾台座部４３ａは、アッパー下部２１の下縁部側に延設され、アウトソール３の裏面からアッパー下部２１の下縁部にかけて固着されていることが好ましい。
足趾台座部４３ａの厚みは、特に限定されないが、余りに小さいと足趾台座部４３ａを設けた意義が十分に発揮されず、余りに大きいと、シューズ１Ａが重くなる。かかる観点から、足趾台座部４３ａの厚みは、例えば、２ｍｍ〜１０ｍｍであり、好ましくは３ｍｍ〜７ｍｍである。なお、足趾台座部４３ａの厚みは、アウトソール３の裏面から足趾凹み４２ａの裏面までの長さである。
足趾凸条壁４１ａの突出高さは、例えば、１ｍｍ〜７ｍｍであり、好ましくは、２ｍｍ〜６ｍｍである。
足趾凸条壁４１ａは、その両側面が傾斜状に形成され且つ基部から突出端に向かうに従って次第に幅狭となっている。
【００５０】
踏みグリップ部４ｂは、アウトソール３の踏み付け部に設けられた踏み台座部４３ｂと、その踏み台座部４３ｂの縁部から突設された踏み凸条壁４１ｂと、を有する。踏み台座部４３ｂは、図３に示すように、平面視で踏み付け部の全体に亘って設けられている。前記踏み台座部４３ｂに対して１つの環状の踏み凸条壁４１ｂが設けられていてもよいが、図示例では、複数の独立した踏み凸条壁４１ｂが設けられている。
例えば、踏み凸条壁４１ｂは、踏み台座部４３ｂに独立して３箇所設けられている。第１の踏み凸条壁４１ｂ−１は、平面視環状であり、踏み台座部４３ｂの前方に設けられ且つ踏み台座部４３ｂの縁部及び面内から突出されている。第２の踏み凸条壁４１ｂ−２は、平面視環状であり、踏み台座部４３ｂの後方の平面視左側に設けられ且つ踏み台座部４３ｂの縁部及び面内から突出されている。第３の踏み凸条壁４１ｂ−３は、平面視環状であり、踏み台座部４３ｂの後方の平面視右側に設けられ且つ踏み台座部４３ｂの縁部及び面内から突出されている。
【００５１】
第１の踏み凸条壁４１ｂ−１と第２及び第３の踏み凸条壁４１ｂ−２，４１ｂ−３は、前後方向において隣接しており、第１の踏み凸条壁４１ｂ−１と第２及び第３の踏み凸条壁４１ｂ−２，４１ｂ−３の間は、凹んでいて台座部４３の裏面が表出されている。図３及び図４を参照して、この凹んだ部分には、溝５１ｂが形成されている。換言すると、第１の踏み凸条壁４１ｂ−１と第２及び第３の踏み凸条壁４１ｂ−２，４１ｂ−３の間の踏み台座部４３ｂは、部分的に厚みが小さくなった薄肉部５２ｂが形成されており、その薄肉部５２ｂは、第１の踏み凸条壁４１ｂ−１と第２及び第３の踏み凸条壁４１ｂ−２，４１ｂ−３の間において幅方向に延在されている。
【００５２】
また、第２の踏み凸条壁４１ｂ−２と第３の踏み凸条壁４１ｂ−３は、幅方向において隣接しており、第２の踏み凸条壁４１ｂ−２と第３の踏み凸条壁４１ｂ−３の間は、凹んでいて台座部４３の裏面が表出されている。図３及び図５を参照して、この凹んだ部分には、溝５１ｂが形成されている。換言すると、第２の踏み凸条壁４１ｂ−２と第３の踏み凸条壁４１ｂ−３の間の踏み台座部４３ｂは、部分的に厚みが小さくなった薄肉部５２ｂが形成されており、その薄肉部５２ｂは、第２の踏み凸条壁４１ｂ−２と第３の踏み凸条壁４１ｂ−３の間において前後方向に延在されている。
踏み付け部の全体に踏み台座部４３ｂが設けられている場合、踏み台座部４３ｂの剛性によってアウトソール３の踏み付け部が平坦状のままで変形し難くなるが、前記薄肉部５２ｂが形成されていることにより、隣接する踏み凸条壁４１ｂの間で踏み台座部４３ｂが曲がり易くなる。このため、アウトソール３の踏み付け部が足裏の動きに応じて変形し易くなる。
【００５３】
前記環状の第１乃至第３の踏み凸条壁４１ｂ−１，４１ｂ−２，４１ｂ−３によって囲われた範囲には、踏み台座部４３ｂの裏面が表出されており、各踏み凸条壁４１ｂと踏み台座部４３ｂの裏面によって３箇所の踏み凹み４２ｂが形成されている。前記踏み凹み４２ｂを構成する踏み台座部４３ｂの裏面は、平滑面とされていてもよく、或いは、微細なエンボス凹凸面とされていてもよい。
踏み台座部４３ｂは、アウトソール３の裏面のみに固着されていてもよいが、踏み台座部４３ｂが脱落しないようにするため、図１乃至図４に示すように、踏み台座部４３ｂは、アッパー下部２１の下縁部側に延設され、アウトソール３の裏面からアッパー下部２１の下縁部にかけて固着されていることが好ましい。
踏み台座部４３ｂの厚みは、特に限定されないが、上記足趾台座部４３ａと同様の理由から、例えば、２ｍｍ〜１０ｍｍであり、好ましくは３ｍｍ〜７ｍｍである。
踏み凸条壁４１ｂの突出高さは、例えば、１ｍｍ〜７ｍｍであり、好ましくは、２ｍｍ〜６ｍｍである。踏み凸条壁４１ｂは、その両側面が傾斜状に形成され且つ基部から突出端に向かうに従って次第に幅狭となっている。
【００５４】
踵グリップ部４ｃは、アウトソール３の踵部に設けられた踵台座部４３ｃと、その踵台座部４３ｃの縁部から突設された踵凸条壁４１ｃと、を有する。踵台座部４３ｃは、図３に示すように、平面視で踵部の全体に亘って設けられている。前記踵台座部４３ｃに対して１つの環状の踵凸条壁４１ｃが設けられていてもよいが、図示例では、複数の独立した踵凸条壁４１ｃが設けられている。
例えば、踵凸条壁４１ｃは、踵台座部４３ｃに独立して２箇所設けられている。第１の踵凸条壁４１ｃ−１は、平面視環状であり、踵台座部４３ｃの前方に設けられ且つ踵台座部４３ｃの縁部及び面内から突出されている。第２の踵凸条壁４１ｃ−２は、平面視環状であり、踵台座部４３ｃの後方に設けられ且つ踵台座部４３ｃの縁部及び面内から突出されている。
【００５５】
第１の踵凸条壁４１ｃ−１と第２の踵凸条壁４１ｃ−２は、前後方向において隣接しており、第１の踵凸条壁４１ｃ−１と第２の踵凸条壁４１ｃ−２の間は、凹んでいて台座部４３の裏面が表出されている。図３及び図４を参照して、この凹んだ部分には、溝５１ｃが形成されている。換言すると、第１の踵凸条壁４１ｃ−１と第２の踵凸条壁４１ｃ−２の間の踵台座部４３ｃは、部分的に厚みが小さくなった薄肉部５２ｃが形成されており、その薄肉部５２ｃは、第１の踵凸条壁４１ｃ−１と第２の踵凸条壁４１ｃ−２の間において幅方向に延在されている。前記薄肉部５２ｃが形成されていることにより、隣接する踵凸条壁４１ｃの間で踵台座部４３ｃが曲がり易くなり、アウトソール３の踵部が足裏の動きに応じて変形し易くなる。
【００５６】
前記環状の第１及び第２の踵凸条壁４１ｃ−１，４１ｃ−２によって囲われた範囲には、踵台座部４３ｃの裏面が表出されており、各踵凸条壁４１ｃと踵台座部４３ｃの裏面によって２箇所の踵凹み４２ｃが形成されている。前記踵凹み４２ｃを構成する踵台座部４３ｃの裏面は、平滑面とされていてもよく、或いは、微細なエンボス凹凸面とされていてもよい。
踵台座部４３ｃは、アウトソール３の裏面のみに固着されていてもよいが、踵台座部４３ｃが脱落しないようにするため、図１乃至図４に示すように、踵台座部４３ｃは、アッパー下部２１の下縁部側に延設され、アウトソール３の裏面からアッパー下部２１の下縁部にかけて固着されていることが好ましい。
踵台座部４３ｃの厚みは、特に限定されないが、上記足趾台座部４３ａと同様の理由から、例えば、２ｍｍ〜１０ｍｍであり、好ましくは３ｍｍ〜７ｍｍである。
踵凸条壁４１ｃの突出高さは、例えば、１ｍｍ〜７ｍｍであり、好ましくは、２ｍｍ〜６ｍｍである。踵凸条壁４１ｃは、その両側面が傾斜状に形成され且つ基部から突出端に向かうに従って次第に幅狭となっている。
【００５７】
本発明のサンドスポーツ用シューズ１Ａを履いて使用者が競技を行うことにより、砂地に対して滑り難くなり、使用者の競技パフォーマンスが向上し得る。また、サンドスポーツ用シューズ１Ａを使用することにより、使用者の足裏が保護される。
本実施形態のサンドスポーツ用シューズ１Ａにおいては、上述のように好ましい態様により、使用者の足が蒸れ難い、アッパー２内に砂が入り込み難い、素足に近い感覚で砂地を捉え得る、一体感が向上する、砂地に食い込み易くなるなどの効果を奏する。
【００５８】
＜変形例＞
上記踏みグリップ部４ｂにおいては、踏み付け部に設けられた１つの踏み台座部４３ｂから複数の踏み凸条壁４１ｂが突設されているが、例えば、図９に示すように、踏み付け部に独立した複数の踏み台座部４３ｂが設けられていてもよい。図示例では、３つの踏み台座部４３ｂ−１，４３ｂ−２，４３ｂ−３が設けられている。この第１乃至第３の踏み台座部４３ｂ−１，４３ｂ−２，４３ｂ−３からそれぞれ踏み凸条壁４１ｂが突設される。図示のように、第１乃至第３の踏み台座部４３ｂ−１，４３ｂ−２，４３ｂ−３にそれぞれ対応して１つの踏み凸条壁４１ｂが設けられていてもよく、或いは、第１乃至第３の踏み台座部４３ｂ−１，４３ｂ−２，４３ｂ−３にそれぞれ対応して複数の踏み凸条壁４１ｂが設けられていてもよい（図示せず）。この場合、第１の踏み台座部４３ｂ−１と第２及び第３の踏み台座部４３ｂ−２，４３ｂ−３の間には、幅方向に延びる隙間５が形成され、第２の踏み台座部４３ｂ−２と第３の踏み台座部４３ｂ−３の間には、前後方向に延びる隙間５が形成されている。
同様に、図９に示すように、踵部に独立した複数の踵台座部４３ｃが設けられていてもよい。図示例では、２つの踵台座部４３ｃ−１，４３ｃ−２が設けられている。この第１及び第２の踵台座部４３ｃ−１，４３ｃ−２からそれぞれ１つ又は複数の踵凸条壁４１ｃが突設される。なお、足趾部についても、独立した複数の足趾台座部４３ａが設けられていてもよい。
【００５９】
また、図１０に示すように、アウトソール３の足趾部が、第１指部と第２指部の間において分割されていてもよい。この場合、特に図視しないが、アッパー２についても、アウトソール３に対応して第１指部と第２指部の間において分割されており、前記アッパー２の分割部分には、第１指部と第２指部を区画する壁部２１１が形成されている。足趾部の第１指部に対応して第１の足趾台座部４３ａ−１が設けられ、その足趾台座部４３ａ−１から足趾凸条壁４１ａが突設されている。また、足趾部の第２乃至第５指部に対応して第２の足趾台座部４３ａ−２が設けられ、その足趾台座部４３ａ−２から足趾凸条壁４１ａが突設されている。
【００６０】
アウトソール３の足趾部を第１指部と第２指部の間で分割することにより、足の第１指の動きの自由度を確保できる。なお、特に図示しないが、アウトソール３の第２指部と第３指部の間、及び／又は、第３指部と第４指部の間、及び／又は、第４指部と第５指部の間において分割されていてもよい。
なお、図１０では、踏み付け部に設けられた１つの踏み台座部４３ｂから２つの踏み凸条壁４１ｂ−１，４１ｂ−２が突設されている場合を例示している。また、図１０では、隣接する踏み凸条壁４１ｂ−１，４１ｂ−２及び隣接する踵凸条壁４１ｃ−１，４１ｃ−２の間に、いずれも筋状の溝が形成されていない場合を例示している。
【００６１】
上記では、アッパー上部２２の前方部がアッパー下部２１の甲領域の付近まで設けられているが、例えば、図１１及び図１２に示すように、アッパー上部２２の前方部２２２が足の甲に対応する領域にまで延在されていてもよい。この場合、アッパー２のうち足の甲に対応する領域は、アッパー上部２２の前方部２２２とアッパー下部２１とによって構成される。つまり、アッパー２の足の甲に対応する領域は、幅方向中央部に配置されたアッパー上部２２の前方部２２２と幅方向両側に配置されたアッパー下部２１の一部分とによって構成される。図１１及び図１２の符号２９は、アッパー下部２１とアッパー上部２２の継ぎ合わせ部分を示す。
なお、図示例における変形例では、アッパー２の甲領域に伸張規制手段が設けられていないが、伸張規制手段を設けてもよい。本変形例において甲領域に伸張規制手段が設けられる場合、その伸張規制手段はアッパー上部２２の前方部２２２とアッパー下部２１に跨がるようにして設けられる。図１１及び図１２において、伸張規制手段２３が設けられた部分に、無数のドットを付加している（図１３も同様）。
また、図示例では、アッパー上部２２に化粧テープが表されていないが、必要に応じて、化粧テープを設けてもよい。
【００６２】
上記では、アッパー上部２２は、切込み２４２によって左右の領域に分割され且つ締付け部２４１によって切込み２４２が略閉じられるが、締付け部２４１を架け渡して切込み２４２を略閉じても、その間隙から砂が内部に入り込むおそれがある。これを防止するために、例えば、図１３に示すように、切込み２４２によって分割された左右の領域の間に、閉塞シート２２３を設けることが好ましい。閉塞シート２２３は、切込み２４２にて左右の領域を離反させる際に、左右の領域の離反を阻害しないような大きさ及び形状で左右の領域の間に設けられる。閉塞シート２２３は、柔軟なシートからなり、好ましくは、伸縮性を有する柔軟なシートからなる。また、閉塞シート２２３は、蛇腹のように折り畳み自在なシートから構成されていてもよい。閉塞シート２２３は、その一方端が左の領域に取り付けられ且つその他方端が右の領域に取り付けられている。
かかる閉塞シート２２３が設けられていても、締付け部２４１を取り外して左右の領域を離反させてアッパー上部２２の挿入口２２１の周長を拡張でき、一方、締付け部２４１によって切込み２４２を略閉じた後、閉塞シート２２３が切込み２４２の隙間を塞ぐので、砂が入り込むことを効果的に防止できる。
なお、図１３では、閉塞シート２２３の上縁２２３ａがアッパー上部２２の上縁２２ａよりも少し下方に位置しているが、閉塞シート２２３の上縁２２３ａがアッパー上部２２の上縁２２ａに連続するように、閉塞シート２２３が設けられていてもよい。
【００６３】
また、上記では、バンドなどの締付け部２４１の幅（締付け部２４１の上下方向長さ）が切込み２４１の上下方向長さよりも小さいが、切込み２４１の上下方向長さと略同じ幅を有する締付け部２４１又は切込み２４１の上下方向長さと略同じ幅を有する締付け部２４１よりも大きい幅を有する締付け部２４１を用いてもよい（図示せず）。かかる幅広の締付け部２４１を用いることにより、締付け部２４１にて切込み２４２を略閉じた後、締付け部２４１によって切込み２４２の隙間を塞ぐことができ、砂の入り込みを防止できる。
【００６４】
以下、本発明の第２実施形態を説明するが、その説明に於いては、主として上述の実施形態と異なる構成及び効果について説明し、同様の構成などについては、用語をそのまま援用し、その構成の説明を省略する場合がある。従って、第２実施形態において特に詳細な説明がない構成については、第１実施形態で説明した構成を援用できるものとする。
【００６５】
［第２実施形態］
第２実施形態は、アッパー２を有さないサンドスポーツ用シューズ１Ａに関する。
図１４乃至図１７を参照して、第２実施形態のサンドスポーツ用シューズ１Ｂは、アウトソール３と、グリップ部４と、を有する。なお、図１６の端面図にあっては、グリップ部４（凸条壁４１）のハッチングを表していない。
本実施形態のサンドスポーツ用シューズ１Ｂは、アッパーを有さないが、足に装着するための装着部が設けられている。
前記装着部は、アウトソール３の前方に接続され且つ足指を挿通する指挿通孔部６１を有する前方装着部６と、アウトソール３の後方に接続され且つ足首を挿通する足首挿通孔部７１を有する後方装着部７と、有する。
【００６６】
＜アウトソール、前方装着部及び後方装着部＞
アウトソール３は、柔軟なシートから構成されている。アウトソール３は、平面視でほぼ足裏の形状に形成されている。
アウトソール３の裏面には、複数のグリップ部４が突設されている。アウトソール３の表面（アウトソール３の裏面とは反対側の面）には、足裏が密着するように表面処理が施されている。前記表面処理としては、例えば、アウトソール３の表面に両面粘着テープを貼り付けること、アウトソール３の表面にシリコンゴムを印刷することなどが挙げられる。
アウトソール３の表面に、前記表面処理が施されていることにより、足裏がアウトソール３の表面に密着して離れ難くなり、足裏とアウトソール３の表面の間に砂が入り込むことを効果的に防止でき、不快感を防止できる。
さらに、アウトソール３の表面には、前記表面処理が施された領域を覆うように、離型シート３１が剥離可能に貼り付けられている。
【００６７】
指挿通孔部６１を有する前方装着部６は、アウトソール３の前方に延出されている。指挿通孔部６１は、前方装着部６の面内に穿設された開口からなる。指挿通孔部６１は、足の第１指を挿通できる第１指挿通孔部６１１と、足の第２指を挿通できる第２指挿通孔部６１２と、足の第３指を挿通できる第３指挿通孔部６１３と、足の第４指を挿通できる第４指挿通孔部６１４と、足の第５指を挿通できる第５指挿通孔部６１５と、からなる。
なお、特に図示しないが、第２乃至第５指挿通孔部６１２，６１３，６１４，６１５から選ばれる少なくとも２つの指挿通孔部が合わさっていてもよい。例えば、第２指挿通孔部６１２及び第３指挿通孔部６１３が合わさって１つの指挿通孔部６１が構成され且つ第４指挿通孔部６１４及び第５指挿通孔部６１５が合わさって１つの指挿通孔部６１が構成されていてもよく、或いは、第２乃至第５指挿通孔部６１２，６１３，６１４，６１５が合わさって１つの指挿通孔部６１が構成されていてもよい。
各指挿通孔部６１の形状及び大きさは、各指を挿通でき且つ挿入された指に係止できるように形成され、対応する指に応じて適宜設定される。後述するように、前方装着部６が伸縮性を有する柔軟なシートから形成されている場合には、指挿通孔部６１を画成する開口縁部が適宜変形して指に係止されるので、指挿通孔部６１は、指の周長よりも小さく形成される。例えば、指挿通孔部６１は、平面視で略十字状の開口からなる。
【００６８】
足首挿通孔部７１を有する後方装着部７は、アウトソール３の後方に延出されている。足首挿通孔部７１は、後方装着部７の面内に穿設された開口からなる。足首挿通孔部７１の形状及び大きさは、足を挿通でき且つ挿入された足首に係止できるように形成される。後述するように、後方装着部７が伸縮性を有する柔軟なシートから形成されている場合には、足首挿通孔部７１を画成する開口縁部が適宜変形して足首に係止されるので、足首挿通孔部７１は、足首の周長よりも小さく形成される。例えば、足首挿通孔部７１は、平面視で略十字状の開口からなる。
また、後方装着部７の面内のうちアウトソール３の近傍には、踵を嵌め入れるための踵係止孔部７２が穿設されている。踵係止孔部７２は、踵が臨み出るような形状及び大きさに形成されている。例えば、踵係止孔部７２は、平面視で略円形状又は略楕円形状の開口からなる。
【００６９】
アウトソール３は、第１実施形態と同様に、柔軟なシートから構成され、アウトソール３に接続されている前方装着部６及び後方装着部７も柔軟なシートから構成される。アウトソール３、前方装着部６及び後方装着部７は、同種の柔軟なシートから構成されていてもよく、或いは、それぞれ異種の柔軟なシートから構成されていてもよい。製造容易であることから、アウトソール３、前方装着部６及び後方装着部７は、同一の柔軟なシートから一体的に形成されていることが好ましい。
本実施形態のサンドスポーツ用シューズ１Ｂを引き伸ばしながら足へ装着できるようにするため、アウトソール３、前方装着部６及び後方装着部７から選ばれる少なくとも１つは伸縮性を有する柔軟なシートから構成されていることが好ましく、さらに、アウトソール３、前方装着部６及び後方装着部７の全てが伸縮性を有する柔軟なシートから構成されていることがより好ましい。
例えば、アウトソール３、前方装着部６及び後方装着部７は、いずれもエラストマーやゴムのような弾性材料を含む高分子シートから構成され、好ましくは、同一の高分子シートから一体的に形成される。
このような伸縮性を有する高分子シートは、上記第１実施形態で説明したようなものを用いることができ、具体的には、クロロプレンゴムの発泡シートを用いることができる。
【００７０】
＜グリップ部＞
グリップ部４は、アウトソール３の裏面のうち、足趾部、踏み付け部及び踵部から選ばれる少なくとも１つの部位に配置されている。図示例では、アウトソール３の足趾部、踏み付け部及び踵部を含むアウトソール３の裏面の略全体に、複数のグリップ部４が配置されている。
隣接するグリップ部４の間には、幅方向及び前後方向の少なくともいずれか一方向に延びる隙間５が形成されている。
グリップ部４は、平面視で幅方向に延在され且つ下方に突出された凸条壁４１を有する。前記凸条壁４１は、平面視で幅方向に延在する部分を有していることを条件として、前後方向に延在する部分を有していてもよい。好ましくは、前記凸条壁４１は、その内側に凹み４２を画成するように、平面視で環状に形成されている。
複数のグリップ部４の凸条壁４１は、第１実施形態に比して平面視で小さい。また、凸条壁４１（グリップ部４）の数も、第１実施形態に比して多い。
複数の凸条壁４１（グリップ部４）は、図１４に示すように、平面視略四角形環状、平面視略五角形環状、平面視略六角形環状、平面視略三角形環状などの様々な平面視環状のものがそれぞれ独立して混在されている。それらの様々な平面視環状の凸条壁４１（グリップ部４）の配置もランダムである。
本実施形態のグリップ部４は、台座部を有していてもよいが、図示例では、台座部を有さない。従って、図示例のグリップ部４の凸条壁４１は、アウトソール３の裏面に直接固着され且つ下方に突出されている。
本実施形態のグリップ部４（凸条壁４１）は、上記第１実施形態と同様に、合成樹脂の非発泡体、硬質ゴム又はエラストマーの非発泡体、合成樹脂の発泡体、硬質ゴム又はエラストマーの発泡体などから形成される。
【００７１】
なお、前方装着部６及び後方装着部７の裏面にも、必要に応じて、凸条壁４１を有するグリップ部４が設けられていてもよい。
例えば、図１４に示すように、前方装着部６の裏面のうち指挿通孔部６１の周りに、凸条壁４１を有するグリップ部４が複数設けられている。また、後方装着部７の裏面のうち踵係止孔部７２の周囲及び足首挿通孔部７１の周囲に凸条壁４１を有するグリップ部４が複数設けられている。
【００７２】
本実施形態のサンドスポーツ用シューズ１Ｂは、次のようにして足に装着して使用される。
離型シート３１を引き剥がした後、図１８（ａ）に示すように、アウトソール３の表面側を足裏側にして、後方装着部７の足首挿通孔部７１に足先を通し、足首挿通孔部７１が足首に至るまで後方装着部７を移動させる。次に、同図（ｂ）に示すように、踵を踵係止孔部７２から出し、アウトソール３を前後方向に引っ張りながら、図１９（ａ）に示すように、第１指を第１指挿通孔部６１１に通し、同様に、第２乃至第５指を第２乃至第５指挿通孔部６１２，６１３，６１４，６１５に通す。このようにして、図１９（ｂ）及び図２０に示すように、本実施形態のサンドスポーツ用シューズ１Ｂを足裏に装着できる。
【００７３】
本実施形態のサンドスポーツ用シューズ１Ｂを履いて使用者が競技を行うことにより、砂地に対して滑り難くなり、使用者の競技パフォーマンスが向上し得る。また、サンドスポーツ用シューズ１Ｂを使用することにより、使用者の足裏が保護される。
本実施形態のサンドスポーツ用シューズ１Ｂを履いたときには、足指が砂地に直接接するので、足指で砂地を掴むことができ、素足に近い感覚で砂地を捉えることができる。
また、上述のように、後方装着部７の足首挿通孔部７１に足首を通し且つ前方装着部６の指挿通孔部６１に足指を通すことにより、比較的簡単にサンドスポーツ用シューズ１Ｂを足に装着できる。さらに、踵係止孔部７２に踵が係止されるので、サンドスポーツ用シューズ１Ｂがずれにくくなる。また、アウトソール３に表面処理が施されているので、足裏とアウトソール３の表面の間に砂が入り込むことを効果的に防止できる。
【００７４】
上記第１及び第２実施形態から選ばれる２つ以上の構成を適宜組み合わせてもよく、或いは、上記第１又は第２実施形態から選ばれる１つ又は２つ以上の構成を、他方の実施形態に置換してもよい。例えば、第２実施形態で示したアウトソール（アッパーを有さず且つ前方装着部及び後方装着部を有するアウトソール）を、第１実施形態のアッパーを有するアウトソールに置換してもよい。
【符号の説明】
【００７５】
１Ａ，１Ｂ  サンドスポーツ用シューズ
２  アッパー
２２１  アッパーの挿入口
２３  伸張規制手段
２４  調整手段
３  アウトソール
４，４ａ，４ｂ，４ｃ  グリップ部
４１，４１ａ，４１ｂ，４１ｃ  凸条壁
４２，４２ａ，４２ｂ，４２ｃ  凹み
４３，４３ａ，４３ｂ，４３ｃ  台座部
５  隙間
６  前方装着部
６１，６１１，６１２，６１３，６１４，６１５  指挿通孔部
７  後方装着部
７１  足首挿通孔部
【図１】
2020185098.tif 000003
【図２】
2020185098.tif 000004
【図３】
2020185098.tif 000005
【図４】
2020185098.tif 000006
【図５】
2020185098.tif 000007
【図６】
2020185098.tif 000008
【図７】
2020185098.tif 000009
【図８】
2020185098.tif 000010
【図９】
2020185098.tif 000011
【図１０】
2020185098.tif 000012
【図１１】
2020185098.tif 000013
【図１２】
2020185098.tif 000014
【図１３】
2020185098.tif 000015
【図１４】
2020185098.tif 000016
【図１５】
2020185098.tif 000017
【図１６】
2020185098.tif 000018
【図１７】
2020185098.tif 000019
【図１８】
2020185098.tif 000020
【図１９】
2020185098.tif 000021
【図２０】
2020185098.tif 000022